(57)【特許請求の範囲】
【請求項１】
送信先とこの送信先に付与する原稿の開示レベルとを含む送信先情報と、この送信先情報を一つ、または、複数含む複数のグループを記憶する記憶手段と、
上記送信先及び送信すべき原稿の開示レベルを指定する指定手段と、
上記指定手段により送信先として上記グループが指定された場合、指定されたグループに属する各送信先情報における原稿の開示レベルと上記送信すべき原稿の開示レベルとを比較し、
上記送信すべき原稿の開示レベル以上の原稿の開示レベルの各送信先について原稿送信を行う制御手段を有するファクシミリ装置。
【請求項２】
上記指定手段は、前記送信すべき原稿の開示レベルを指定することで送信先を指定することを特徴とする請求項１記載のファクシミリ装置。
【発明の詳細な説明】
【０００１】
【発明の属する技術分野】
本発明は、ファクシミリ装置に関し、特に、送受信管理にの柔軟性を増したファクシミリ装置に関する。
【０００２】
【従来の技術】
従来、ファクシミリ装置は一般に、同報送信等を行う際に、１つの宛先に対して設定されている親展や中継等の機能を付加して構成される。例えば、同報する際にもある宛先に対しては親展が有効になっている等、自動的に複数の機能を組み合わせて送信する方法がいくつか提案されている。
【０００３】
【発明が解決しようとする課題】
しかしながら、上記の従来例では、いずれの方法においても、あくまで送信完了することに主眼がおかれ、宛先毎に親展の機能を独立に付加する必要が無いというメリットがある提案であり、送信者の意図する範囲で送信されているにすぎない問題を伴う。
【０００４】
本発明は、セキュリティーを向上させたファクシミリ装置を提供することを目的とする。
【０００５】
【課題を解決するための手段】
かかる目的を達成するため、本発明のファクシミリ装置は、送信先とこの送信先に付与する原稿の開示レベルとを含む送信先情報と、この送信先情報を一つ、または、複数含む複数のグループを記憶する記憶手段と、上記送信先及び送信すべき原稿の開示レベルを指定する指定手段と、上記指定手段により送信先として上記グループが指定された場合、指定されたグループに属する各送信先情報における原稿の開示レベルと上記送信すべき原稿の開示レベルとを比較し、上記送信すべき原稿の開示レベル以上の原稿の開示レベルの各送信先について原稿送信を行う制御手段を有することを特徴としている。
【０００６】
請求項２記載の発明では、請求項１記載のファクシミリ装置において、上記指定手段は、前記送信すべき原稿の開示レベルを指定することで送信先を指定することを特徴とする。
【００１５】
【発明の実施の形態】
次に添付図面を参照して本発明によるファクシミリ装置の実施の形態を詳細に説明する。図１〜図３を参照すると本発明のファクシミリ装置の一実施形態が示されている。
【００１６】
図１において、本実施形態のファクシミリ装置は、ＣＰＵ１、ＲＯＭ２、ＲＡＭ３、スキャナ４、プロッタ５、操作・表示制御部６、通信制御部（ＣＣＵ）７、モデム８、ＳＡＦ（Store and Forward)メモリ９、符号化復号化部（ＤＣＲ）１０、網制御部（ＮＣＵ）１１、レベル管理部１３、レベル制御部１４、の各部を有して構成される。なお、これらの各部は、バス１２により互いに接続されている。
【００１７】
上記のＣＰＵ１は、ＲＯＭ２内のプログラムに従って本ファクシミリ装置の各部の動作を制御し本発明の処理を実行する。
【００１８】
ＲＯＭ２は、ファクシミリ装置としての基本プログラムや本発明の処理プログラムなどが格納されている。ＲＡＭ３は、ワークエリアが形成されてファクシミリ装置の制御に必要な種々のデータが記憶される。
【００１９】
スキャナ４は、原稿を読みとる。プロッタ５は、コピーや受信原稿の印字を行なう。操作・表示制御部６は、ユーザからの操作を入力し情報をユーザに伝える。
【００２０】
通信制御部（ＣＣＵ）７は、相手ファクシミリ装置との間でファクシミリ制御信号を交換しファクシミリ通信手順を実行する。ＳＡＦ（Store and Forward)メモリ９は、画像の蓄積を行なう。モデム８は、送信信号の変調、受信信号の復調を行なう。
【００２１】
符号化復号化部（ＤＣＲ）１０は、画情報を所定の符号化方式に従って符号化し、また、符号化された画情報を復号化する。網制御部（ＮＣＵ）１１は、通信回線の制御を行なう。
【００２２】
レベル管理部１３は、操作部によりユーザから設定された相手先の原稿の開示レベルを管理する。レベル制御部１４は、レベル管理部１３によって管理されている原稿の開示レベルを通信時に付加、解析する。
【００２３】
図２に本発明の動作の手順例を示す。ユーザは、ワンタッチ登録やグループ登録等の宛先登録を行う際（ステップＳ１、Ｓ２）、相手先の電話番号と共に、原稿の開示レベルを設定し（ステップＳ３）、登録していく。ここで登録された原稿の開示レベルはレベル管理部によって管理される。次に登録した宛先に対して送信する場合に（ステップＳ４）、送信先として、例えばグループ番号を指定し、更に原稿の開示レベルを設定してスタートキーを押す。この時、ファクシミリ装置内ではレベル制御部において、指定されたグループに属する相手先の原稿の開示レベルを検索し、指定された原稿の開示レベル以下の宛先が含まれている場合には、これを送信先から除去する。以上の手順で随時発呼を行う。
【００２４】
ここで、発呼時にはレベル制御部により、送出するＮＳＳに原稿の開示レベルがアサインされ、着呼側に通知される（ステップＳ５）。着呼側においてはこれを登録し（ステップＳ１１、Ｓ１２）、発呼側ファクシミリ装置からの原稿の開示レベルとして記録する（ステップＳ１６）。又、着呼側においてファクシミリ装置からの原稿の開示レベルを持っている場合には（ステップＳ１３）、これを着呼側レベル制御部において、今回通知された原稿の開示レベルと比較し、許容されない原稿の開示レベルであると判断した場合には通信を終了する。又、ユーザの指定により、原稿の開示レベルを更新したい場合には（ステップＳ１４）、レベル管理部に記録してある原稿の開示レベルを更新し、通信を継続する。
【００２５】
着呼側において原稿の開示レベルで弾かれること無く通信が終了した場合には、着呼側においてはレベル管理部により、着呼側ファクシミリ装置に原稿の開示レベル付きで送られてきた画情報を直ちに出力しないと判断した場合には、ユーザによる原稿の開示レベル付き原稿出力の指示があって始めて画情報を出力する（ステップＳ１５〜ステップＳ２０）。
【００２６】
図３に原稿の開示レベル管理の方法を示す。送信時にユーザが「レベルＸの宛先」「レベルＸ以上」「レベルＸとＹ」等、任意の原稿の開示レベルを設定すると、レベル管理部によって該当する項目から、該当する原稿の開示レベルに含まれる宛先を全て検索し、選択した宛先に同報送信を行う。具体的な送信方法については図２において示したとおりとなる。
【００２７】
上記の実施形態によれば、相手ファクシミリ装置との間でファクシミリ制御信号を交換しファクシミリ通信手順を実行する通信制御部と、基本プログラムや処理プログラムなどが格納されているＲＯＭと、このＲＯＭ内のプログラムに従ってファクシミリ装置の各部の動作を制御するＣＰＵと、ユーザから設定された相手先の原稿の開示レベルを管理するレベル管理部と、レベル管理部によって管理されている原稿の開示レベルを通信時に付加、解析するレベル制御部とを有して構成される。よって、電話番号を登録する際に、原稿の重要度に応じた原稿の開示レベルを、相手先毎に個別に設定し、この設定された相手先を用いて、同報通信用のグループを作成できる。
【００２８】
【発明の効果】
以上の説明より明らかなように、本発明のファクシミリ装置は、相手ファクシミリ装置との間でファクシミリ制御信号を交換しファクシミリ通信手順を実行する基本プログラムや処理プログラムなどが格納され、このプログラムに従ってファクシミリ装置の各部の動作を制御し、ユーザから設定された相手先の原稿の開示レベルを管理し、管理されている原稿の開示レベルを通信時に付加、解析する。この構成により、電話番号を登録する際に、原稿の重要度に応じた原稿の開示レベルを、相手先毎に個別に設定し、この設定された相手先を用いて、同報通信用のグループを作成する。
【００２９】
よって、原稿開示レベルを相手先毎に設定することにより、例えばグループのメンバーが１００あった内の数カ所だけに開示したくない等の条件が発生した際に、簡単に相手先の仕分けを行うことが可能となる。
【００３０】
また、半数が同じ宛先で構成されているグループなど、ユーザにとって紛らわしいグループに対して同報送信する場合に、間違えて似ているグループを指定して送信してしまった場合にも、原稿の開示レベルの区分により、ある一定の原稿の開示レベル以下の宛先には送信されない。このため、原稿の機密性を維持することが可能となる。
【００３１】
さらに、グループとして登録されている宛先の内、数件を除いて他の全てに同報送信したい場合等に、再びグループ設定をし直したり、登録されているグループの中から該当する宛先を探し出して削除した後にグループを選択し直す、等の一切の手間をかけずに希望する相手先のみに送信することが可能となる。
【００３２】
さらに、グループ登録を行うことなく同報送信することが可能なため、例えば上限１０グループまで登録可能等となっている、ファクシミリ装置における限られたグループ登録メモリを節約することが可能となる。
【００３３】
さらに、簡単な操作で同報送信先を任意に設定することが可能となり、数多くの宛先をグループとして登録する煩わしさが無くなる。
【００３４】
さらに、自機で設定した原稿開示レベルを、例えば電話による会話等、別の手段を用いずに、自動的に相手機に対して通知することが可能となる。
【００３５】
さらに、相手機に設定してある、自機に対する原稿開示レベルを自動的に登録することが可能となる。
【００３６】
さらに、送信側において何らかの間違いで原稿の開示レベル外の相手先に発呼してしまった場合にも受信側からこれを受け付けないようにすることができるため、機密性、安全性が増す。
【００３７】
さらに、原稿の重要度により、画情報を通信時に出力するか、否かを振り分けられるため、通信時に直ちに画情報を出力させないために送信側から親展扱いでこれを指定する必要がない。又、蓄えられた原稿を出力させるために親展ＩＤ等を用いないため、送信側はこれらＩＤを意識する必要がない。
【００３８】
なお、受信側ファクシミリ装置の設置場所の変更、受信者の変更等により、原稿の開示レベルを変更したい場合にも、この要求に柔軟に対応することが可能となる。
【図面の簡単な説明】
【図１】  本発明のファクシミリ装置の実施形態の構成例を示すブロック図である。
【図２】  動作例を示すフローチャートである。
【図３】  原稿の開示レベル管理方法を説明するための図である。
【符号の説明】
１  ＣＰＵ
２  ＲＯＭ
３  ＲＡＭ
４  スキャナ
５  プロッタ
６  操作・表示制御部
７  通信制御部（ＣＣＵ）
８  モデム
９  ＳＡＦ（Store and Forward)メモリ
１０  符号化復号化部（ＤＣＲ）
１１  網制御部（ＮＣＵ）
１２  バス
１３  レベル管理部
１４  レベル制御部
【図１】
0003958468.tif 000002
【図２】
0003958468.tif 000003
【図３】
0003958468.tif 000004